(57)【要約】【課題】購入対象である商品をより容易に注文することができる技術を提供する。【解決手段】商品購入システムは、読み取り部と、表示部と、操作部と、送信部と、を備える。読み取り部は、商品に取付けられており、商品を識別するための識別情報が記憶された識別情報記憶媒体から識別情報を読み取る。表示部は、読み取られた識別情報により識別される商品に関連する商品情報を表示する。操作部は、表示部に表示された商品情報が示す商品を注文する第１の操作を受け付ける。送信部は、第１の操作を受け付けた場合に、通信ネットワークを介して外部サーバに注文指示を送信する。読み取り部は、識別情報の読み取り指示を入力する第２の操作がユーザによって実行されている間、識別情報を読み取り可能な読み取り状態となるように構成されている。【選択図】図５
2020009127.tif 000002
【特許請求の範囲】
【請求項１】
商品購入システムであって、
商品に取付けられており、前記商品を識別するための識別情報が記憶された識別情報記憶媒体から前記識別情報を読み取る読み取り部と、
読み取られた前記識別情報により識別される商品に関連する商品情報を表示する表示部と、
前記表示部に表示された前記商品情報が示す商品を注文する第１の操作を受け付けるための操作部と、
前記第１の操作を受け付けた場合に、通信ネットワークを介して前記商品情報が示す前記商品の注文指示を外部サーバに送信する送信部と、
を備えており、
前記読み取り部は、前記識別情報の読み取り指示を入力する第２の操作がユーザによって実行されている間、前記識別情報を読み取り可能な読み取り状態となるように構成されている、商品購入システム。
【請求項２】
前記商品購入システムは、さらに、
前記読み取り部によって読み取られた前記識別情報により識別される商品を、前記外部サーバに格納される商品データベースから検索する検索部を備えており、
前記表示部は、前記検索部によって検索された商品に関連する前記商品情報を表示する、請求項１に記載の商品購入システム。
【請求項３】
前記商品購入システムは、さらに、
前記第２の操作が実行されることによって前記読み取り指示を取得した場合に、商品に取付けられた識別情報を前記読み取り部に対して接近させることをユーザに促す所定情報を出力する出力部を備える、請求項１または２に記載の商品購入システム。
【発明の詳細な説明】
【技術分野】
【０００１】
本明細書に開示する技術は、商品購入システムに関する。
【背景技術】
【０００２】
家電製品（例えばエアコン）に貼付され、当該家電製品のＩＤを含む購入情報が記憶されている識別タグの情報に基づいて、当該家電製品に対応する商品（例えばフィルタ等の消耗品）を検索するシステムが知られている。このシステムでは、家電製品に貼付された識別タグに記憶された情報を携帯端末によって読み取り、読み取った情報を検索装置に入力することにより、当該家電製品に対応する商品の情報が検索装置の表示部に表示される。
【先行技術文献】
【特許文献】
【０００３】
【特許文献１】特開２００９−１３４５７５号公報
【発明の概要】
【発明が解決しようとする課題】
【０００４】
従来の技術では、携帯端末によって読み取った情報を検索装置に入力することを要する。また、検索装置に表示された商品に一致する商品を、ユーザ自身が販売店に赴いて探す必要がある。このため、ユーザの利便性に欠ける。本明細書では、購入対象である商品をより容易に注文することができる技術を提供する。
【課題を解決するための手段】
【０００５】
本明細書に開示する商品購入システムは、読み取り部と、表示部と、操作部と、送信部と、を備える。前記読み取り部は、商品に取付けられており、前記商品を識別するための識別情報が記憶された識別情報記憶媒体から前記識別情報を読み取る。前記表示部は、読み取られた前記識別情報により識別される商品に関連する商品情報を表示する。前記操作部は、前記表示部に表示された前記商品情報が示す商品を注文する第１の操作を受け付ける。前記送信部は、前記第１の操作を受け付けた場合に、通信ネットワークを介して外部サーバに注文指示を送信する。前記読み取り部は、前記識別情報の読み取り指示を入力する第２の操作がユーザによって実行されている間、前記識別情報を読み取り可能な読み取り状態となるように構成されている。
【０００６】
上記の、商品購入システムでは、購入対象である商品に取付けられた識別情報記憶媒体から識別情報を読み取った場合に、商品情報を表示部に表示する。そして、第１の操作を受け付けた場合に、外部サーバに注文指示を送信する。このように、ユーザは、識別情報を読み取り部に読み取らせて第１の操作を実行するだけで、購入対象の商品を注文することができる。したがって、従来と比較して、購入したい商品を容易に注文することができる。また、読み取り部は、第２の操作が実行されている間のみ、読み取り状態となるため、この商品購入システムでは、識別情報を誤認識することを抑制することができる。
【図面の簡単な説明】
【０００７】
【図１】商品購入システム２の構成を示すブロック図。
【図２】冷蔵庫１０の構成を模式的に示す図。
【図３ａ】読取装置３０の構成を模式的に示す表面斜視図。
【図３ｂ】読取装置３０の構成を模式的に示す裏面斜視図。
【図４ａ】食品データベースの一例を示す図。
【図４ｂ】食品データベースの一例を示す図。
【図４ｃ】食品データベースの一例を示す図。
【図５】読取装置３０が実行する処理のフローチャートを示す図。
【図６】読取装置３０の表示部３６に表示される検索結果画面Ｇ１の一例を示す図。
【図７】読取装置３０の表示部３６に表示される検索結果画面Ｇ２の一例を示す図。
【発明を実施するための形態】
【０００８】
図面を参照して、本実施例の商品購入システム２（以下、単にシステム２という。）について説明する。図１に示すように、システム２は、冷蔵庫１０と、読取装置３０と、販売サイト５０、１５０、２５０と、を備える。冷蔵庫１０、読取装置３０及び各販売サイト５０、１５０、２５０は、インターネット１１０を介して、相互に通信可能に構成されている。
【０００９】
図２に示すように、冷蔵庫１０の本体１１には、食品を貯蔵するための貯蔵庫である冷蔵室１２、野菜室１４、製氷室１６、上部冷凍室１８及び下部冷凍室２０が設けられている。冷蔵室１２の開口部は、いわゆる観音式の一対の扉１２ａ、１２ｂによって開閉されるように構成されている。野菜室１４、製氷室１６、上部冷凍室１８及び下部冷凍室２０の開口部は、それぞれ引き出し式の扉１４ａ、１６ａ、１８ａ、２０ａによってそれぞれ開閉されるように構成されている。
【００１０】
図１に示すように、冷蔵庫１０はまた、操作部２２と、表示部２４と、通信インタフェース２６と、制御部２８と、を備える。以下では、インタフェースのことを「Ｉ／Ｆ」と記載する。
【００１１】
操作部２２は、冷蔵庫１０の各機能を実行するためのボタンを複数備える。操作部２２は、ユーザによってボタンが操作されると、操作されたボタンに従った信号を制御部２８に送信する。表示部２４は、液晶パネルを有する。表示部２４は、制御部２８によって制御され、冷蔵庫１０の機能や動作に関する情報を表示する。なお、操作部２２は、いわゆるタッチパネルとして、表示部２４と一体に構成されていてもよい。通信Ｉ／Ｆ２６は、図示省略のＬＡＮ（Local Area Networkの略）を介して、インターネット１１０に接続されている。
【００１２】
制御部２８は、ＣＰＵ２８ａと、メモリ２８ｂとを備える。ＣＰＵ２８ａは、メモリ２８ｂに記憶されているプログラム（不図示）に従って、様々な処理を実行するプロセッサである。メモリ２８ｂは、ＲＡＭ、ＲＯＭ等によって構成されている。
【００１３】
図２に示すように、読取装置３０は、冷蔵庫１０の右扉１２ｂに設けられた読取装置収容部３０ａに対して着脱可能に取付けられている。図１及び図３に示すように、読取装置３０は、読み取り部３２と、操作部３４と、表示部３６と、通信Ｉ／Ｆ３９と、制御部４０と、を備える。
【００１４】
図３（ｂ）に示すように、読み取り部３２は、読取装置３０の裏面に設けられている。読み取り部３２は、食品に取付けられたＩＣタグに記憶された識別情報を読み取る。本実施例では、読み取り部３２は、無線通信により食品それぞれに取付けられたＩＣタグに記憶された情報を読み取るタグリーダ機能を有する。ＩＣタグは、例えば、ＲＦＩＤ（Radio Frequency Identificationの略）タグである。ＩＣタグには、食品を識別するための識別情報が記憶されている。識別情報は、例えば、「食品名」、「産地」、「製造年月日」、「賞味期限」及び「消費期限」等を含む。食品が加工食品である場合には、識別情報は、「原材料名」、「製造元名」等をさらに含んでもよい。識別情報は、例えば、食品の包装に貼付されたバーコード、二次元コード等に記憶されてもよい。この場合、読み取り部３２は、当該バーコード及び当該二次元コード等に記憶された情報を読み取るように構成される。読み取り部３２は、後述する読み取りボタンＢ５が操作されていない間は、ＩＣタグから識別情報を読み取ることが不可能な待機状態となり、読み取りボタンＢ５がユーザによって押下されている間のみ、ＩＣタグから識別情報を読み取り可能な読み取り状態となる。読み取り部３２により読み取られた識別情報は、制御部４０に送信される。
【００１５】
操作部３４は、ユーザによってボタンが操作されると、操作されたボタンに従った信号を制御部４０に送信する。操作部３４は、読み取り部３２によって識別情報の読み取りを開始する指示を入力するための読み取りボタンＢ５を含む。読み取りボタンＢ５は、読取装置３０の側面に設けられている。
【００１６】
表示部３６は、制御部４０によって制御され、読み取り部３２によって読み取られた識別情報により識別される食品に関連する商品情報を表示する。商品情報は、後述する販売サイト５０等から取得可能であり、例えば、「食品名」、「産地」、「製造年月日」、「賞味期限」、「消費期限」、「価格」及び「お届け日時」等を含む。
【００１７】
通信Ｉ／Ｆ３９は、図示省略のＬＡＮを介して、インターネット１１０に接続されている。制御部４０は、ＣＰＵ４０ａと、メモリ４０ｂとを備える。ＣＰＵ４０ａは、メモリ４０ｂに記憶されているプログラム（不図示）に従って、様々な処理を実行するプロセッサである。メモリ４０ｂは、ＲＡＭ、ＲＯＭ等によって構成されている。メモリ４０ｂはまた、優先度情報４２を記憶する。優先度情報４２は、読み取り部３２により読み取られた識別情報が示す食品が複数の販売サイト（５０、１５０、２５０等）で販売されている場合に、表示部３６に表示する優先順位を決定するための情報である。優先度情報４２は、例えば、「価格」、「お届け日時」、「賞味期限」及び「セール品」等を含む。優先度情報４２は、ユーザによる操作部３４への操作によって適宜入力、変更が可能である。
【００１８】
販売サイト５０は、インターネット１１０を介してユーザに販売する商品の情報を提供し、ユーザから注文を受け付けた購入対象商品を提供する、オンラインショッピングの機能を有するインターネット１１０上の仮想店舗である。販売サイト５０は、例えばサーバ装置により構成される。販売サイト５０は、通信Ｉ／Ｆ５２と、制御部５６と、を備える。通信Ｉ／Ｆ５２は、図示省略のＬＡＮを介して、インターネット１１０に接続されている。
【００１９】
制御部５６は、ＣＰＵ５６ａと、メモリ５６ｂとを備える。ＣＰＵ５６ａは、メモリ５６ｂに記憶されているプログラム（不図示）に従って、様々な処理を実行するプロセッサである。メモリ５６ｂは、ＲＡＭ、ＲＯＭ等によって構成されている。メモリ５６ｂは、ユーザテーブル７０と、食品データベース８０とを記憶する。
【００２０】
ユーザテーブル７０には、１個以上のユーザ情報が記憶される。各ユーザ情報は、ユーザ名と、住所情報と、を含む。ユーザ名は、ユーザを識別するための情報である。住所情報は、当該住所情報に対応付けられたユーザ名が示すユーザが居住している住所を示す。住所情報は、ユーザが読取装置３０から注文した食品を発送する際に用いられる。
【００２１】
図４（ａ）に示すように、食品データベース８０は、販売サイト５０が販売する複数種類の食品に関する商品情報を記憶する領域である。商品情報は、「食品名」、「価格」、「賞味期限」、「在庫の有無」及び「お届け日時」を含む。図４に示す在庫欄の「○」及び「×」は、販売サイト５０が管理する食品の中に、在庫があること及びないことをそれぞれ示す。販売サイト５０は、読取装置３０から注文を受け付けた食品を食品データベース８０から検索し、検索結果（すなわち、注文を受け付けた食品の商品情報）を送信元の読取装置３０に対して送信する。
【００２２】
販売サイト１５０及び２５０は、それぞれのメモリ内のユーザテーブル及び食品データベースに記憶されている情報が販売サイト５０と異なる点（例えば図４（ｂ）、図４（ｃ）参照）を除いて、販売サイト５０と同様の構成を備える。
【００２３】
次に、図５を参照して、本実施例のシステム２において読取装置３０のＣＰＵ４０ａがプログラムに従って実行する処理について説明する。初期状態では、読取装置３０の読み取り部３２は、識別情報を読み取ることが不可能な待機状態である。また、以下では、購入対象商品が、図４に示す「ＴＬ牛乳１Ｌパック」であるとして説明する。
【００２４】
Ｓ１０において、ＣＰＵ４０ａは、読み取り指示を受け付けた信号を受信することを監視する。読み取り指示は、ユーザによって操作部３４の読み取りボタンが押下されることによって受信される。ＣＰＵ４０ａは、読み取り指示の入力操作を受け付けると、Ｓ１０でＹＥＳと判断してＳ１２へ進む。
【００２５】
Ｓ１２において、ＣＰＵ４０ａは、読み取り部３２を待機状態から読み取り状態に移行させる。これにより、読み取り部３２は、食品に取付けられたＩＣタグから識別情報を読み取ることが可能な状態になる。
【００２６】
Ｓ１４において、ＣＰＵ４０ａは、購入対象の食品に取付けられたＩＣタグを読み取り部３２に接近させることをユーザに促すメッセージを表示部３６に表示する。具体的には、例えば、ＣＰＵ４０ａは、「購入したい商品のＩＣタグを読み取り部に近づけて下さい」等のメッセージを表示部３６に表示する。
【００２７】
Ｓ１６において、ＣＰＵ４０ａは、識別情報の読み取りが完了したのか否かを判断する。ユーザが購入対象の食品に取付けられたＩＣタグを読み取り部３２に接近させると、読み取り部３２とＩＣタグとの間の距離が、読み取り部３２とＩＣタグとの間で無線通信を実行可能な距離（例えば、約１０ｃｍ以下）まで接近する。これにより、読み取り部３２がＩＣタグに記憶されている識別情報を読み取ることができる。ＣＰＵ４０ａは、読み取り部３２により読み取った識別情報を読み取り部３２から受信した場合に、Ｓ１６でＹＥＳと判断してＳ１８へ進む。
【００２８】
Ｓ１８において、ＣＰＵ４０ａは、Ｓ１６において読み取った識別情報が示す食品を検索することを要求するための検索要求を販売サイトに送信する。検索要求は、読み取った識別情報により識別される食品名「ＴＬ牛乳１Ｌパック」を含む。ＣＰＵ４０ａは、単一の販売サイト（例えば販売サイト５０）のみに検索要求を送信してもよいし、複数の販売サイト（例えば販売サイト５０、１５０及び２５０）それぞれに検索要求を送信してもよい。
【００２９】
Ｓ２０において、ＣＰＵ４０ａは、検索要求の送信先である販売サイトから検索応答を受信したのか否かを判断する。検索応答は、検索要求に含まれる食品名「ＴＬ牛乳１Ｌパック」及び「ＴＬ牛乳１Ｌパック」の「価格」、「賞味期限」、「お届け日時」を含む。例えば、販売サイト５０は、図４（ａ）に示すように、食品データベース８０から、「ＴＬ牛乳１Ｌパック」に対応付けられた、価格「１５０円」、賞味期限「２０１８／６／３０」、お届け日時「２０１８／６／１５／１５：００」をそれぞれ抽出し、当該情報を含む検索応答を、検索要求の送信元である読取装置３０に送信する。ＣＰＵ４０ａは、販売サイトから検索応答を受信した場合には、Ｓ２０でＹＥＳと判断してＳ２２へ進む。なお、ＣＰＵ４０ａは、Ｓ１８において複数の販売サイトに検索要求を送信した場合には、送信先である販売サイトの全てから検索応答を受信するまでＳ２０でＮＯと判断する。なお、検索要求に食品名「じゃがいも」が含まれる場合（すなわち、検索要求に含まれる食品名が示す食品の在庫が、検索要求の送信先である販売サイト５０にない場合）には、販売サイト５０は、在庫がないことを示す情報を含む検索応答を送信する。
【００３０】
Ｓ２２において、ＣＰＵ４０ａは、検索応答に含まれる商品情報を含む検索結果画面Ｇ１を表示部３６に表示する。ＣＰＵ４０ａは、例えば、図６に示すように、食品名「ＴＬ牛乳１Ｌパック」、販売店「販売サイト５０」と、価格「１５０円」と、賞味期限「２０１８／６／３０」と、お届け日時「２０１８／６／１５／１５：００」と、食品の画像Ａ１を示す検索結果画面Ｇ１を表示部３６に表示する。また、ＣＰＵ４０ａは、Ｓ２０において、複数の販売サイトから検索応答を受信した場合には、メモリ４０ｂに記憶された優先度情報４２に基づいて、表示部３６に表示する優先順位を決定する。例えば、優先度情報４２が示す１番目の優先度が「価格が安い順」である場合には、ＣＰＵ４０ａは、受信した検索応答に基づいて、価格が安い販売サイトの商品から順に表示した検索結果画面Ｇ２を表示部３６に表示する。具体的には、例えば、ＣＰＵ４０ａが、「ＴＬ牛乳１Ｌパック」についての検索応答を販売サイト５０、１５０、２５０から検索応答を受信した場合、図７に示すように、１番価格が安い販売サイト１５０の「ＴＬ牛乳１Ｌパック」から順に表示部３６に表示する。優先順位が下位である販売サイトの商品は、ドラッグ操作やフリック操作の入力によってスクロール表示されてもよいし、ページ切換操作の入力によって表示されてもよい。
【００３１】
Ｓ２４において、ＣＰＵ４０ａは、注文指示を受け付けたのか否かを判断する。図６に示すように、検索結果画面Ｇ１は、「ＴＬ牛乳１Ｌパック」を注文する数量を決定するための数量ボタンＢ１と、注文指示を入力するための注文ボタンＢ２とを含む。ＣＰＵ４０ａは、注文ボタンＢ２の選択を受け付けた場合に、Ｓ２４でＹＥＳと判断してＳ２６へ進む。図７に示す例では、ＣＰＵ４０ａは、販売サイト５０が販売する「ＴＬ牛乳１Ｌパック」の注文に用いられるボタン（数量ボタン及び注文ボタン）Ｂ３と、販売サイト１５０が販売する「ＴＬ牛乳１Ｌパック」の注文に用いられるボタンＢ４と、販売サイト２５０が販売する「ＴＬ牛乳１Ｌパック」の注文に用いられるボタン（不図示）と、の中から注文指示の入力を受け付ける。
【００３２】
Ｓ２６において、ＣＰＵ４０ａは、ユーザにより注文指示の入力を受け付けた商品を取り扱う販売サイトへ注文指示を送信する。注文指示は、食品名「ＴＬ牛乳１Ｌパック」と、「数量」と、ユーザ名と、を含む。ＣＰＵ４０ａは、注文指示を送信すると、一連の処理を終了する。
【００３３】
注文指示を受信した販売サイトは、注文指示に含まれるユーザ名に基づいて、ユーザテーブル７０から当該ユーザ名に対応する住所情報を抽出する。そして、注文指示に含まれる食品名と数量とに基づいて、抽出した住所情報が示す住所宛てに対象となる食品を発送する。
【００３４】
（効果）
本実施例の商品購入システム２では、ＣＰＵ４０ａは、購入対象である食品に取付けられたＩＣタグから識別情報を読み取った場合（Ｓ１６でＹＥＳ）に、当該食品の「食品名」、「価格」等を含む商品情報を表示部３６に表示する（Ｓ２２）。そして、ＣＰＵ４０ａは、当該商品情報が示す食品の注文指示の入力を受け付けた場合（Ｓ２４でＹＥＳ）に、販売サイト５０に注文指示を送信する（Ｓ２６）。このように、ユーザは、識別情報を読取装置３０の読み取り部３２に読み取らせて注文指示を入力するだけで、購入対象の食品を注文することができる。したがって、従来と比較して、購入したい食品を容易に注文することができる。
【００３５】
また、読取装置３０の読み取り部３２は、読み取りボタンが押下されている間（すなわち、読み取り指示の入力を受け付けている間）のみ、ＩＣタグから識別情報を読み取り可能な読み取り状態となる（Ｓ１２）。したがって、本実施例の商品購入システム２では、識別情報を誤検知することを抑制することができる。
【００３６】
また、ＣＰＵ４０ａは、読み取り指示の入力を受け付けた場合（Ｓ１０でＹＥＳ）に、識別情報が記憶されたＩＣタグを読み取り部３２に接近させることをユーザに促すメッセージを表示部３６に表示する。このような構成では、情報リテラシーが高くないユーザに対しても、読取装置３０によって識別情報を読み取るための適切な操作を促すことができる。
【００３７】
また、ＣＰＵ４０ａは、識別情報の読み取りが完了した場合（Ｓ１６でＹＥＳ）に、検索要求を販売サイトに送信して、当該販売サイトから受信した検索応答に基づいて、検索結果画面Ｇ１を表示する（Ｓ２２）。このように、本実施例の商品購入システム２では、読み取った識別情報が示す食品を販売サイトから自動的に検索するように構成されているため、ユーザが当該食品を選択する操作を要さず、ユーザの利便性が向上する。
【００３８】
また、ＣＰＵ４０ａは、メモリ４０ｂに記憶された優先度情報４２に基づいて、検索応答に含まれる情報を表示部３６に表示する優先順位を決定する。このような構成では、ユーザの志向を反映した検索結果画面が表示されるため、ユーザの利便性が向上する。
【００３９】
（対応関係）
食品が、「商品」の一例である。ＩＣタグ、バーコード及び二次元コードが、「識別情報記憶媒体」の一例である。注文ボタンの選択が、「第１の操作」の一例である。インターネット１１０が、「通信ネットワーク」の一例である。販売サイト５０、１５０、２５０が、「外部サーバ」の一例である。読み取りボタンが押下されることが、「第２の操作」の一例である。食品データベース８０が、「商品データベース」の一例である。メッセージを表示部３６に表示することが、「所定情報を出力する」の一例である。
【００４０】
図５のＳ１６が、「読み取り部」によって実行される処理の一例である。Ｓ２２が、「表示部」によって実行される処理の一例である。Ｓ２４が、「操作部」によって実行される処理の一例である。Ｓ２６が、「送信部」によって実行される処理の一例である。Ｓ１８が、「検索部」によって実行される処理の一例である。Ｓ１４が、「出力部」によって実行される処理の一例である。
【００４１】
本発明のいくつかの実施形態を説明したが、これらの実施形態は、例として提示したものであり、発明の範囲を限定することは意図していない。これら実施形態は、その他の様々な形態で実施されることが可能であり、発明の用紙を逸脱しない範囲で、種々の省略、置き換え、変更を行うことができる。
【００４２】
（変形例１）上述した実施例では、読取装置３０は、冷蔵庫１０に対して着脱可能に構成されていた。しかしながら、読取装置３０は冷蔵庫１０と一体に構成されてもよい。すなわち、冷蔵庫１０自体が、読取装置３０の各機能を備えてもよい。具体的には、例えば、読み取り部３２を冷蔵庫１０の扉に設けてもよいし、冷蔵庫１０の表示部２４が読取装置３０の表示部３６の機能を併せて有するように構成されてもよい。また、冷蔵庫１０の操作部２２が読取装置３０の操作部３４の機能を併せて有するように構成されてもよいし、操作部３４が冷蔵庫１０の右扉１２ｂに別途設けられてもよい。また、読取装置３０は、冷蔵庫１０に取付けることが可能な装置に限定されない。例えば、携帯電話、ＰＤＡ、ノートＰＣ、タブレットＰＣ等の可搬型の携帯端末であってもよい。
【００４３】
（変形例２）読取装置３０は、注文指示の入力を受け付けた商品を示す商品情報をメモリ４０ｂに記憶してもよい。読取装置３０は、記憶した商品情報をメモリ４０ｂから読み出すことによって、当該商品情報が示す商品を注文可能に構成されてもよい。このような構成では、繰り返し注文する可能性のある商品については、ユーザが識別情報を読み取る操作を実行することなく、容易に注文することができる。
【００４４】
（変形例３）Ｓ１４において、ＣＰＵ４０ａは、ＩＣタグを読み取り部３２に接近させることを促すメッセージを表示させたが、例えば、ＩＣタグを読み取り部３２に接近させることをユーザに促す音声を出力してもよい。本変形例では、音声を出力することが、「所定情報を出力する」の一例である。
【００４５】
（変形例４）読取装置３０は、照度センサと、照明と、をさらに有してもよい。ＣＰＵ４０ａは、読み取り指示を受け付けたときに、照度センサにより検知した照度が所定値以下である（すなわち、読取装置３０の周囲環境が暗い）場合には、照明をオンにして読み取り部３２の読み取り方向を明るく照らしてもよい。このような構成では、周囲環境が比較的暗い場合であっても、ユーザがＩＣタグを読み取り部３２に容易に接近させることができ、的確に識別情報を読み取らせることができる。
【００４６】
（変形例５）読取装置３０により読み取った識別情報、及び、読取装置３０が販売サイトから受信した商品情報を、冷蔵庫１０の表示部２４に表示してもよい。この場合、読取装置３０は、例えば、近距離無線通信を実行することにより、当該識別情報や当該商品情報を冷蔵庫１０に送信してもよい。
【００４７】
（変形例６）図６及び図７に示した表示態様は一例であり、他の表示態様を用いてもよい。
【００４８】
（変形例７）ＩＣタグを接近させることを促すメッセージを表示する処理（Ｓ１４）は省略することが可能である。検索要求を送信する処理（Ｓ１８）は省略することが可能である。検索応答を受信する処理（Ｓ２０）は省略することが可能である。すなわち、「検索部」及び「出力部」は、省略可能である。すなわち、一般的に言うと、ＣＰＵ４０ａは、Ｓ１０と、Ｓ１２と、Ｓ１６と、Ｓ２２と、Ｓ２４と、Ｓ２６と、を少なくとも実行すればよい。
【００４９】
（変形例８）上述した実施例では、購入対象の商品が食品である例を説明したが、これに限られない。購入対象の商品は、例えば、冷蔵庫や掃除機等の家電製品自体であってもよいし、当該家電製品の使用時に用いられる消耗品等であってもよい。
【００５０】
これら実施形態やその変形は、発明の範囲や用紙に含まれると同様に、特許請求の範囲に記載された発明とその均等の範囲に含まれるものである。
【符号の説明】
【００５１】
２：商品購入システム、１０冷蔵庫、１１：本体、１２：冷蔵室、１４：野菜室、１６：製氷室、１８：上部冷凍室、２０：下部冷凍室、２２：操作部、２４：表示部、２６：通信インタフェース、２８：制御部、２８ａ：ＣＰＵ、２８ｂ：メモリ、３０：読取装置、３２：読み取り部、３４：操作部、３６：表示部、３９：通信インタフェース、４０：制御部、４０ａ：ＣＰＵ、４０ｂ：メモリ、４２：優先度情報、５０：販売サイト、５２：通信インタフェース、５６：制御部、５６ａ：ＣＰＵ、５６ｂ：メモリ、７０：ユーザテーブル、８０：食品データベース、１１０：インターネット、１５０、２５０：販売サイト
【図１】
2020009127.tif 000003
【図２】
2020009127.tif 000004
【図３ａ】
2020009127.tif 000005
【図３ｂ】
2020009127.tif 000006
【図４ａ】
2020009127.tif 000007
【図４ｂ】
2020009127.tif 000008
【図４ｃ】
2020009127.tif 000009
【図５】
2020009127.tif 000010
【図６】
2020009127.tif 000011
【図７】
2020009127.tif 000012